(57)【特許請求の範囲】
【請求項１】
動画像を空間及び時間のいずれかまたは両方で分割することにより生成される動画像ファイルであって、前記空間及び時間のいずれかまたは両方での分割位置を示す分割情報をメタデータとして保持する動画像ファイルを読み込む手段と、
前記動画像ファイルのメタデータから前記分割情報を検出する手段と、
前記分割情報に従い、前記動画像ファイルのファイル名を変更する変更手段と
を有することを特徴とするファイル名変換装置。
【請求項２】
前記変更手段は、前記動画像ファイルのファイル名に、前記分割情報の内容を示す文字列を追加することで、前記ファイル名を変更することを特徴とする請求項１に記載のファイル名変換装置。
【請求項３】
さらに、前記読み込み手段で読み込まれた複数の動画像ファイルが同じ動画像から分割されたものかどうかを判定する判定手段を有し、
前記変更手段は、同じ動画像から分割により生成された複数の動画像ファイルのファイル名を、共通の文字列と、前記複数の動画像ファイルのそれぞれの前記分割情報から決定された文字列とを組み合わせたものに変更する
ことを特徴とする請求項１または２に記載のファイル名変換装置。
【請求項４】
前記判定手段は、前記読み込み手段で読み込まれた複数の動画像ファイルのそれぞれのメタ情報において、タイムコード、フレームレート、解像度、ビット深度、信号構成、撮像年月日、ユーザ定義名、リール番号、シーン番号、テイク番号及びショット番号のうちの所定の情報が同一である場合に、前記読み込み手段で読み込まれた複数の動画像ファイルが同じ動画像から分割されたものと判定することを特徴とする請求項３に記載のファイル名変換装置。
【請求項５】
動画像を空間及び時間のいずれかまたは両方で分割することにより生成される動画像ファイルを、前記空間及び時間のいずれかまたは両方での分割を示す分割情報を含むメタデータと共に読み込むステップと、
前記動画像ファイルのメタデータから前記分割情報を検出するステップと、
前記分割情報に従い、前記動画像ファイルのファイル名を変更する変更ステップと
を有することを特徴とするファイル名変換方法。
【請求項６】
動画像を空間及び時間のいずれかまたは両方で分割することにより生成される動画像ファイルのファイル名を変換するファイル名変換プログラムであって、
コンピュータを、
前記動画像ファイルを、前記空間及び時間のいずれかまたは両方での分割を示す分割情報を含むメタデータと共に読み込む手段と、
前記動画像ファイルのメタデータから前記分割情報を検出する手段と、
前記分割情報に従い、前記動画像ファイルのファイル名を変更する変更手段
として機能させるファイル名変換プログラム。
【請求項７】
動画像を空間及び時間のいずれかまたは両方で分割した分割動画像を並列に出力する撮像装置と、前記撮像装置から出力される各分割動画像を記録する複数の記録装置とからなる記録システムであって、
前記撮像装置は、撮像手段と、前記撮像手段が出力する動画像を空間及び時間のいずれかまたは両方で分割し、各分割動画像に、前記動画像を特定する画像特定情報と、前記空間及び時間のいずれかまたは両方での分割の分割位置を示す分割情報とを含む付加情報を付加し、所定の動画像形式で並列に出力する出力手段とを有し、
前記記録装置は、前記撮像装置から出力される前記所定の動画像形式の分割動画像を取り込む手段と、取り込んだ前記分割動画像を記録媒体に記録する記録手段と、取り込んだ前記分割動画像から前記付加情報を分離する手段と、前記分割動画像から分離した前記付加情報を参照して、前記分割動画像のファイル名を決定する手段とを有する
ことを特徴とする記録システム。
【発明の詳細な説明】
【技術分野】
【０００１】
本発明は、ファイル名変換装置、方法及びプログラム並びに記録システムに関する。
【背景技術】
【０００２】
近年、フルハイビジョンの４倍の解像度を有する高解像度の動画像（いわゆる４Ｋ動画像）を表示可能な高解像度テレビが普及し始め、４Ｋ動画像の放送も開始されるようになってきた。さらに、フルハイビジョンの１６倍の解像度を有する超高解像度の動画像（いわゆる８Ｋ動画像）のシステムが２０２０年の導入を目指して開発されている。このシステムでは、あたかもその場にいるかのような臨場感あふれる動画像を実現できる。
【０００３】
ビデオカメラにおいて８Ｋ動画像を撮像するには、大量の動画像データをリアルタイムで現像処理できる高スペックなシステムが要求される。しかしながら、このようなシステムは非常に高価になる。そこで、膨大な処理負荷を必要とするリアルタイム現像処理は行わず、ビデオカメラは撮像センサからの画像データ（未現像の画像データ）をＲＡＷデータとして記録装置に出力するシステムが採用されている。これにより、ビデオカメラの負荷を軽減しつつ、システムを複雑化することなく８Ｋ動画像を撮像及び記録できるようになる。映像制作業界では、記録したＲＡＷデータの現像処理を後工程で行うことで動画像を完成する。
【０００４】
ただし、放送業界では、動画像を完成させるために時間とコストをかけられないことから、リアルタイムに現像したＲＡＷデータを記録することが望まれている。このような用途では、ビデオカメラとは別にリアルタイム現像処理装置を用意し、ビデオカメラから出力されるＲＡＷデータを当該リアルタイム現像処理装置で現像し、記録するシステム構成が用いられる。
【０００５】
映像制作業界及び放送業界のどちらでも、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）の動画像伝送規格ＳＤＩが用いられる。ＳＤＩ（Ｓｅｒｉａｌ  Ｄｉｇｉｔａｌ  Ｉｎｔｅｒｆａｃｅ）では、ケーブル１本で３Ｇｂｐｓまで伝送可能な３Ｇ−ＳＤＩが実用化されており、近年、より高レートの伝送が可能な６Ｇ−ＳＤＩの規格化が行われた。
【０００６】
しかし、８Ｋ動画像のような大容量の動画像データをＳＤＩケーブル１本で伝送するには転送レートが足りない。これに対し、動画像データを複数のデータに分割し、複数本のケーブルを使用して並列伝送することで、必要なデータ転送レートを確保する方法が提案されている（特許文献１参照）。
【先行技術文献】
【特許文献】
【０００７】
【特許文献１】特開２０１４−３４９２号公報
【発明の概要】
【発明が解決しようとする課題】
【０００８】
例えば、８Ｋ動画像を４つの４Ｋ動画像に分割し、４本のＳＤＩケーブルで並列出力するビデオカメラを使用することが考えられる。４つのＳＤＩを有する記録装置を用意することで８Ｋ動画像を記録できるが、このような記録装置は非常に高価である。他方、４Ｋ動画像に対応する記録装置を４台用意することでも、実質的に８Ｋ動画像を記録できる。４Ｋ動画像に対応する記録装置は既に十分に普及していることから、必要なシステムを安価に構築できる。４Ｋ動画像に対応する記録装置が４Ｋ動画像のＲＡＷデータを記録する場合、別途用意する編集装置で現像処理を行い、４つの４Ｋ画像を画面上で合成することで、８Ｋ動画像を復元できる。
【０００９】
オリジナルの動画像を複数の動画像（分割動画像）に分割し、各分割動画像を個別の記録装置で記録する記録システムでは、各記録装置に記録される分割動画像のファイルレベルで事後的に識別できるようにする必要がある。そうでないと、記録後の管理・編集が非常に面倒になるからである。例えば、分割記録する各ファイルのファイル名またはその一部を予め決めておくか、一定の規則の下で命名する方法が考えられる。
【００１０】
予めファイル名を設定した場合でも、撮像中に移動してセットを組み直した際にケーブルを挿し間違えたりすると、分割動画像とファイル名との対応が崩れてしまう。そのため、ユーザは、撮像のたびにケーブルの接続と記録装置の設定を確認しなければならず、その作業に時間をとられてしまう。
【００１１】
本発明は、このような不都合を解消し、分割動画像のファイル名の一貫性を確保できるファイル名変換装置、方法及びプログラム並びに記録システムを提示することを目的とする。
【課題を解決するための手段】
【００１２】
上記目的を達成するために、本発明に係るファイル名変換装置は、動画像を空間及び時間のいずれかまたは両方で分割することにより生成される動画像ファイルであって、前記空間及び時間のいずれかまたは両方での分割位置を示す分割情報をメタデータとして保持する動画像ファイルを読み込む手段と、前記動画像ファイルのメタデータから前記分割情報を検出する手段と、前記分割情報に従い、前記動画像ファイルのファイル名を変更する変更手段とを有することを特徴とする。
【発明の効果】
【００１３】
本発明によれば、メタデータに含まれる分割情報に従いファイル名を変更するので、オリジナルの動画像を分割して得られる複数の動画像ファイルの編集・管理が容易になる。
【図面の簡単な説明】
【００１４】
【図１】実施例１における撮像装置１００の概略構成の一例を説明するためのブロック図である。
【図２】撮像素子のベイヤー構造配列の一例を説明するための図である。
【図３】図１に示す撮像装置１００の信号処理部の概略構成の一例を説明するためのブロック図である。
【図４】図１に示す撮像装置１００の撮像素子の有効画素領域を示す模式図である。
【図５】ＲＡＷフレームを構成する各色の画素データ配置を示す模式図である。
【図６】図３に示す信号処理部の多重部の概略構成の一例を説明するためのブロック図である。
【図７】有効映像期間に多重される画素データの配分例を示す図である。
【図８】１ラインの画素データから生成される４チャネルのデータストリームの構成例である。
【図９】ＡＮＣパケットの構成例を示す模式図である。
【図１０】ＡＮＣパケットを多重したデータストリームのデータ構成例を示す模式図である。
【図１１】図１に示す撮像装置１００の１６チャネル出力画像を８台の記録装置で記録する構成を示す図である。
【図１２】図１１に示す記録装置１１１０−１〜１１１０−８の概略構成の一例を説明するためのブロック図である。
【図１３】図１１に示す記録装置１１１０−１〜１１１０−８の動作の一例を示すフローチャートである。
【図１４】図１１に示す記録装置１１１０−１〜１１１０−８に記録された動画像ファイルのファイル名を変更するパーソナルコンピュータ（ＰＣ）の概略構成の一例を説明するためのブロック図である。
【図１５】図１４に示すＰＣによるファイル名変更処理の一例を示すフローチャートである。
【発明を実施するための形態】
【００１５】
以下、図面を参照して本発明の実施例を説明する。ただし、本発明は、以下に説明する実施例に限定されない。
【実施例１】
【００１６】
図１は、実施例１における記録システムに使用される撮像装置１００の概略構成の一例を説明するためのブロック図である。
【００１７】
ユーザが操作部１１６を操作して電源オンの指示を入力すると、電源供給部が撮像装置１００の各構成要素に電力を供給する。
【００１８】
撮像部１０１は、撮像レンズ１０２、シャッタ１０３、撮像素子１０４、前置処理回路１０５、Ａ／Ｄ変換器１０６、後置処理回路１０７及びＲＯＭ１０８から構成される。
【００１９】
撮像レンズ１０２は、ズームレンズおよびフォーカスレンズを含む。シャッタ１０３は絞り機能を兼ねる。撮像素子１０４は図２に示すようなベイヤー構造の、ＣＣＤ撮像センサまたはＣＭＯＳ撮像センサからなり、光学像を電気信号に変換する。撮像素子１０４は、制御部１１３から供給されるクロックのタイミング（実施例１では、１／１２０秒）で、蓄積した電荷量の電気信号をプログレッシブで前置処理回路１０５に供給する。前置処理回路１０５は、撮像素子１０４の出力に含まれるノイズを除去するＣＤＳ（相関２重サンプリング）回路、及びＡＧＣ（自動利得制御）回路を含む。前置処理回路１０５は、撮像素子１０４からの画像信号のノイズを除去するとともにレベルを調整する。Ａ／Ｄ変換器１０６は、前置処理回路１０５から出力されるアナログ画像信号をデジタル画像信号に変換する。
【００２０】
後置処理回路１０７は、Ａ／Ｄ変換器１０６からのデジタル画像信号を色ごとの画素プレーン、すなわち、Ｒ（赤）、Ｇｒ（緑）、Ｇｂ（緑）及びＢ（青）の４つの画素プレーンに分離する。後置処理回路１０７はさらに、各色成分に色再現のリニアマトリックス処理を適用した後、各色１０ビットの画素データを信号処理部１０９に供給する。
【００２１】
ＲＯＭ１０８は、撮像素子１０４に関する情報として、総画素数、縦横のサイズ及び有効ピクセルの位置などを記憶する。
【００２２】
信号処理部１０９は、撮像部１０１（後置処理回路１０７）に読み出しクロックを供給して各色（Ｒ、Ｇｒ、Ｇｂ、Ｂ）の画素データを読み出し、ＳＤＩ伝送のためのデータストリームを生成し、マルチプレクサ１１０に供給する。マルチプレクサ１１０は、信号処理部１０９からのデータストリームを多重してシリアライザ１１１に出力する。シリアライザ１１１は、マルチプレクサ１１０からの多重化デジタルストリームをシリアルデータに変換する。シリアライザ１１１により生成されるシリアルデータは、ＢＮＣ端子で構成される外部インターフェース１１２を介して外部に出力される。
【００２３】
制御部１１３は、撮像装置１００が有するすべての構成要素を制御することができる。例えば、制御部１１３は、操作部１１６によるユーザの操作を検出し、撮像部１０１、信号処理部１０９及びマルチプレクサ１１０を、タイミングの同期をとりながら制御する。制御部１１３は、各種処理で作成されたデータを一時的にＲＡＭ１１５に書き込み、必要に応じて参照のために読み込む。
【００２４】
フラッシュメモリ１１４は、電気的に消去・記録可能な記憶手段であり、制御部１１３を動作させるために必要なプログラム及び撮像装置１００に固有の調整データ等が予め書きこまれている。
【００２５】
撮像装置１００の各構成要素は、各構成要素間の制御信号とデータ信号のための伝送路となる内部バス１１７に接続する。
【００２６】
図３は、信号処理部１０９の概略構成の一例を説明するためのブロック図である。ＲＡＭ３０３は、撮像部１０１の後置処理回路１０７から読み込んだ各色の画素データを一時的に保存するメモリである。読出しクロック供給部３０２が、後置処理回路１０７に各色の画素のデータの読み出しクロックを供給する。信号処理部１０９は、制御部１１３の制御下で、後置処理回路１０７から読み込んだ各色の画素データを、有効画素の画素データと周辺画素の画素データに分けてＲＡＭ３０３に書き込む。画素データ読出し部３０１は、ＲＡＭ３０３に記憶される１画面の画素データを４つに分割して読み出し、１６個の信号多重部３０４−１〜３０４−１６にデータを供給する。４色ある画素データを１画面で４分割することから、１６群の画素データに分割されることになり、信号処理部１０９は、並列な１６個の信号多重部３０４−１〜３０４−１６を有する。
【００２７】
信号多重部３０４−１〜３０４−１６は同じ構成からなり、それぞれ、入力する画素データから動画像データストリームを生成する。例えば、各信号多重部３０４−１〜３０４−１６は、入力画素データを並び替え、映像タイミング基準コードＳＡＶ（Ｓｔａｒｔ  ｏｆ  Ａｃｔｉｖｅ  Ｖｉｄｅｏ），ＥＡＶ（Ｅｎｄ  ｏｆ  Ａｃｔｉｖｅ  Ｖｉｄｅｏ）を多重し、各種のアンシラリーデータを多重する。
【００２８】
８Ｋ動画像を例に信号多重部３０４−１〜３０４−１６の動作を説明する。撮像部１０１により撮像される画像が、図４に示すように、横（水平）８１９２画素、縦（垂直）４３２０画素という画素サイズであるとする。色フィルタは、図２に示したようなベイヤー配列になっているとする。この全体エリアから１回にデータ取得可能な画素データ群をＲＡＷフレームと定義する。以下では、横８１９２画素、縦４３２０画素分のデータを８Ｋ画像データと記述し、横４０９６画素、縦２１６０画素分のデータを４Ｋ画像データと記述する。
【００２９】
撮像部１０１は、１秒間あたり１２０枚のＲＡＷフレームを出力できるとする。以下では、１秒間あたりにｎフレームの画素データを伝送する場合、ｎＰと表現する。例えば、１秒間あたり１２０フレーム分の画素データを伝送する場合、１２０Ｐと記述する。
【００３０】
制御部１１３は、撮像部１０１のＲＯＭ１０８から撮像センサの画素の縦横幅及びベイヤー構造の各画素の配列に関する情報などを読み込み、この情報に従いＲＡＭ３０３への書き込みとそのタイミングを制御する。この制御により、後置処理回路１０７から供給される画素データのうち、有効画素の画素データがＲＡＭ３０３に書き込まれる。図５は、ＲＡＭ３０３に書き込まれる有効画素の画素データであって、ＲＡＷフレームを構成する各色（Ｒ、Ｇｒ、Ｇｂ、Ｂ）成分の画素データを示す。各色の画素データは、横４０９６画素、縦２１６０画素である。
【００３１】
制御部１１３は、ＲＡＭ３０３に書き込まれた有効画素の画素データを１６分割して読み出し、各分割画素データを信号多重部３０４−１〜３０４−１６に供給する。１６分割は、画面内の４分割と時間軸方向での４分割からなる。この動作の一例を説明する。ここでは、ＲＡＭ３０３に書き込まれた１フレームの画素データを、図４に（０，０）、（１，０）、（０，１）、（１，１）と記すように横と縦のそれぞれで２分割する。（０，０）、（１，０）、（０，１）及び（１，１）は、それぞれ、８Ｋ画像を４分割して得られる４Ｋ画像の位置座標を示す。すなわち、１つの８Ｋ画像データを画面上で空間的に４つの４Ｋ画像データに分割する。制御部１１３は、座標（０，０）の画素データを信号多重部３０４−１〜３０４−４に、座標（１，０）の画素データを信号多重部３０４−５〜３０４−８にそれぞれ分配する。同様に、制御部１１３は、座標（０，１）の画素データを信号多重部３０４−９〜３０４−１２に、座標（１，１）の画素データを信号多重部３０４−１３〜３０４−１６にそれぞれ分配する。
【００３２】
実施例１では、このように空間的な４分割で得られる動画像データをさらに、時間軸上でも分割する。例えば、１２０フレーム／秒の動画像データを４本の３０フレーム／秒の動画像データに分割する。
【００３３】
ＲＡＭ３０３には、１２０フレーム／秒の動画像データが格納される。制御部１１３は、３０フレーム／秒の４つの動画像データに分割し、各３０フレーム／秒の動画像データを４つの信号多重部３０４−１〜３０４−４，３０４−５〜４０４−８，３０４−９〜３０４−１２，３０４−１３〜３０４−１６に分配する。例えば、ＲＡＭ３０３に格納される１枚目のフレームを信号多重部３０４−１に、２枚目のフレームを信号多重部３０４−２に、３枚目のフレームを信号多重部３０４−３に、４枚目のフレームを信号多重部３０４−４に分配する。そして、５枚目のフレームを信号多重部３０４−１に、６枚目のフレームのデータを信号多重部３０５、７枚目のフレームのデータを信号多重部３０６、８枚目のフレームのデータを信号多重部３０７というように分割して出力する。
【００３４】
このように、制御部１１３は、ＲＡＭ３０３に格納される１２０Ｐ・８Ｋ動画像データを３０Ｐ・４Ｋ動画像データに１６分割し、各４Ｋ動画像データを信号多重部３０４−１〜３０４−１６に分配する。
【００３５】
信号多重部３０４−１〜３０４−１６の動作を説明する。信号多重部３０４は、並列に配置される４つの多重部３２０，３２１，３２２，３２３を有する。多重部３２０，３２１，３２２，３２３は同じ構成からなり、図６は多重部３２０〜３２３の概略構成の一例を説明するためのブロック図である。
【００３６】
多重部３２０〜３２３は原理的にはＦＩＦＯ（Ｆｉｒｓｔ−Ｉｎ  Ｆｉｒｓｔ−Ｏｕｔ）メモリであり、制御部１１３から供給される書き込みクロックのタイミングで、ＲＡＭ３０３からの画素データを記憶する。このとき、制御部１１３は、ＳＤＩ伝送で適用する画素データ多重化構造に応じて、各色の画素データを多重部３２０〜３２３に配分する。例えば、ＳＤＩの伝送方法としてＳＭＰＴＥ  ＳＴ  ４２５（３Ｇ−ＳＤＩ）のレベルＢに準拠し、ＳＭＰＴＥ  ＳＴ  ３７２（Ｄｕａｌ  Ｌｉｎｋ）のＲ'Ｇ'Ｂ'＋Ａ  １０ビットの多重化構造を適用して、各画素データを配分する。また、画素のサンプルフォーマットは、ＳＭＰＴＥ  ＳＴ  ２０４８−２で規定された２０４８×１０８０／３０Ｐに準拠する。
【００３７】
図７は、このＳＭＰＴＥ規格に従って、有効映像期間に多重される画素データの配分状況を示す。制御部１１３は、データストリームを生成する各多重部３２０，３２１，３２２，３２３に、ＲＡＭ３０３から読み出した画素データを順番に供給する。例えば、多重部３２０は、画素データＧｂをＧｂ（１）、Ｇｂ（２）、・・、Ｇｂ（２０４８）の順番に受け取り、Ｌｉｎｋ  Ａのデータストリーム１を生成する。
【００３８】
ライン計算部６０１は、ＳＤＩの信号を受信する受信装置に対して、画像信号の区切り位置を認識するためのＳＡＶ、ＥＡＶ、ＬＮ（Ｌｉｎｅ  Ｎｕｍｂｅｒ）及び巡回冗長コードＣＲＣＣを計算する。ＳＡＶ／ＥＡＶタイミングパルス発生部６０２は、制御部１１３から画素データを読み出すタイミングを制御する読出しクロックと、有効映像期間と垂直／水平ブランキング領域の期間のタイミング情報を受信する。有効映像期間のタイミング情報は、データストリームの信号に有効画素データを多重する期間を示す。ブランキング領域の期間のタイミング情報は、アンシラリーデータを多重する期間を示す。ＳＡＶ／ＥＡＶタイミングパルス発生部６０２はまた、画素データを多重するタイミングパルスを発生する。
【００３９】
切り替え制御部６０３は、ＲＡＭ３０３からの入力データとライン計算部６０１の出力データの一方を選択する。選択されたデータはＲＡＭ６０４に書き込まれる。切り替え制御部６０３は、ＳＡＶ／ＥＡＶタイミングパルス発生部６０２から供給されたタイミングパルスに基づいて、ＲＡＭ３０３から画素データを読み出すタイミングを切り替える。切り替え制御部６０３は、ＲＡＭ３０３の読み出しタイミングを切り替えながら、生成中のデータストリームに画素データとＳＡＶ、ＥＡＶ、ＬＮ及びＣＲＣＣを切り替えながら多重する。
【００４０】
このような動作により、各多重部３２０〜３２３において、生成されたデータストリームがＲＡＭ６０４に書き込まれ、アンシラリー多重部３２４に出力される。
【００４１】
図８は、図４で示す画素構成の各画素プレーンにおける１ラインの画素データを、４本のデータストリームに配分した結果を示す。各色の括弧内の番号は、その色の画素プレーンの左端の画素からの順番を示す。例えば、Ｇｂ（３）の括弧内の番号「３」は、Ｇｂの画素プレーンの左端の画素データから３番目であることを示す。ここでは、ＲＡＷフレームを構成する２ラインに配置されるＲ、Ｇｒ、Ｇｂ及びＢの画素データが４本のデータストリームに配分されている。
【００４２】
アンシラリー多重部３２４は、多重部３２０〜３２３からのデータストリームにタイムコード、ペイロードＩＤ、撮像年月日、ユーザ定義名、リール番号、シーン番号、テイク番号、ショット番号及び分割情報などの付加情報を多重する。多重方法は、ＳＭＰＴＥ２９１に準拠する。アンシラリー多重部３２４は、多重結果をマルチプレクサ１１０に出力する。
【００４３】
タイムコードはビデオ信号のフレーム毎につけられる情報であり、「時、分、秒及びフレーム」の単位で表される。ペイロードＩＤはフレームレート、解像度、ビット深度及び信号構成など、記録・伝送動画像フォーマットに関する情報を示す。リール番号、シーン番号及びテイク番号は、それぞれ記録メディアごとに異なる番号であり、シーン及びテイクごとにユーザが設定する。ショット番号は、動画像の記録開始または記録停止によりインクリメントされる番号である。
【００４４】
分割情報は、上述した空間的な分割と時間的な分割の分割位置に関する情報からなる。分割情報はここでは、空間的な分割位置に関して左右方向の分割数、縦方向の分割数及び位置座標の情報を含み、時間的な分割位置に関してフレーム分割数とフレーム情報の情報を含む。１２０Ｐ・８Ｋ動画像データを１６個の３０Ｐ・４Ｋ動画像データに分割する場合、次のようになる。すなわち、空間分割の左右方向分割数が２、縦方向分割数が２、時間分割のフレーム分割数が４となる。各信号多重部３０４では、多重部３２０の処理対象が、位置座標が（０，０）、フレーム番号が１となる。また、多重部３２１，３２２，３２３の処理対象はそれぞれ、フレーム番号が２，３，４となる。
【００４５】
アンシラリー多重部３２４は、図９で示すＴｙｐｅ２のアンシラリーパケット（ＡＮＣパケット）の各１０ビットで構成されるユーザデータワード（Ｕｓｅｒ  Ｄａｔａ  Ｗｏｒｄｓ）に分割情報を格納する。格納するデータの形式は、それぞれの情報が値として取得できるものであれば、どのような形式であってもよい。ＡＮＣパケットの種類を識別するためのヘッダ領域ＤＩＤ，ＳＤＩＤには、それぞれ、多重する情報ことに所定の値を設定する。なお、アンシラリー多重部３２４による多重の方法としては、ＤＩＤとＳＤＩＤを用いたパケット構造をとらず、特定の情報をブランキング領域の特定の位置に多重する方法を採用しても良い。例えば、アンシラリー多重部３２４は、Ｌｉｎｋ  Ａのデータストリーム１のライン番号６で指定される水平ブランキング領域に、上述したタイムコード等の付加情報を多重する。
【００４６】
図１０は、ＡＮＣパケットを多重したデータストリームのデータ構成の一例である。マルチプレクサ１１０は、信号多重部３０４−１〜３０４−１６の出力ごとにアンシラリー多重部３２４により各種ＡＮＣパケットが多重された４本のデータストリームを単一のデータストリームとなるように、ワード単位で交互に多重化する。多重化方式はＳＭＰＴＥ  ＳＴ  ４２５に準拠する。マルチプレクサ１１０は、多重化したデータをシリアライザ１１１に出力する。シリアライザ１１１は、マルチプレクサ１１０からの各データをシリアルデータに変換し、外部インターフェース１１２から１６個のＢＮＣ端子を介して外部に出力する。
【００４７】
図１１は、撮像装置１００と、撮像装置１００の出力画像データを記録する８台の記録装置１１１０−１〜１１１０−８との接続構成例を示す。８台の記録装置１１１０−１〜１１１０−８は３０Ｐ・４Ｋ動画像データを入力可能な２個のＢＮＣ端子を有する。撮像装置１００の１６個のＢＮＣ出力は、同軸ケーブル１１１２−１〜１１１２−８，同軸ケーブル１１１４−１〜１１１４−８を介して対応する記録装置１１１０−１〜１１１０−８に接続する。同軸ケーブル１本あたりでは、撮像装置１００は、３０Ｐ・４Ｋ動画像データを所定の動画像形式で出力する。記録装置１１１０−１〜１１１０−８は、同軸ケーブル１１１２−１〜１１１２−８及び１１１４−１〜１１１４−８から入力する２チャネルの３０Ｐ・４Ｌ動画像データを多重化し、６０Ｐ・４Ｋ動画像データを生成して記録媒体に記録する。１チャネルの３０Ｐ・４Ｋ動画像データを記録する記録装置を使う場合、その記録装置を１６台、用意することになる。
【００４８】
図１２は、記録装置１１１０−ｎ（ｎ＝１〜８。以下同様。）の概略構成の一例を説明するためのブロック図である。
【００４９】
ユーザが操作部１２０８を操作して電源オンの指示を入力すると、記録装置１１１０−ｎの電源部が記録装置１１１０−ｎの各構成要素に電力を供給する。これにより、記録装置１１１０−ｎが起動する。
【００５０】
制御部１２０６は、記録装置１１１０−ｎが有するすべての構成要素を制御することができる。例えば、制御部１２０６は、操作部１２０８の操作及び動作状態に従い、デシリアライザ１２０２、デマルチプレクサ１２０３、記録媒体１２０４及び信号解析部１２０７を所定のタイミング同期の下で制御する。制御部１２０６は、各種処理で作成したデータを一時的にＲＡＭ１２０９に書き込み、必要に応じて読み出す。
【００５１】
フラッシュメモリ１２１０は、電気的に消去・記録可能な記憶媒体である。フラッシュメモリ１２１０には、制御部１２０６を動作させるために必要なプログラム及び記録装置１１１０−ｎに固有の調整データ等が予め書きこまれている。
【００５２】
外部インターフェース１２０１は２個のＢＮＣ端子を有し、撮像装置１００の２チャネルの出力信号が、２本の同軸ケーブルを介して外部インターフェース１２０１に入力する。
【００５３】
記録装置１１１０−ｎの各構成要素は、各構成要素間の制御信号やデータ信号のための伝送路である内部バス１２１２と接続する。
【００５４】
デシリアライザ１２０２は、外部インターフェース１２０１から入力された２チャネルのシリアル信号をそれぞれパラレルデータに変換し、デマルチプレクサ１２０３に入力する。デマルチプレクサ１２０３は、デシリアライザ１２０２から供給される２チャネルのパラレルデータについて、図８から図１０を参照して説明したのと逆の分離動作を行い、ＳＤＩ伝送のもととなるデータストリームを復元する。
【００５５】
記録再生部１２１１は、デマルチプレクサ１２０３で生成された画像データ及びＡＮＣパケットデータ等を、１フレーム１ファイルとして、ＵＤＦ、ＦＡＴまたはＮＴＦＳ等のファイルシステムの記録媒体１２０４に記録する。記録媒体１２０４は、画像データ及びＡＮＣパケットデータ等を記録できる媒体であればよう、例えば、磁気ディスク、光学式ディスクまたは半導体メモリなどのあらゆる方式の記録媒体を含む。記録の開始および停止は、ユーザが操作部１２０８を操作することで行われるか、または、信号解析部１２０７の信号解析結果に基づき行われる。記録再生部１２１１はまた、ユーザによる操作部１２０８の操作に従い、記録媒体１２０４に記録された画像データ及びＡＮＣパケットデータ等を読み出す。
【００５６】
信号解析部１２０７は、ＡＮＣパケットの種類を識別するためのヘッダであるＤＩＤとＳＤＩＤの値に基づき、デマルチプレクサ１２０３で生成されたデータストリームに含まれるＡＮＣパケットデータを抽出し解析する。信号解析部１２０７は、得られたタイムコード、ペイロードＩＤ、撮像年月日、リール番号、シーン番号、テイク番号、ショット番号及び分割情報などの情報等の付加情報を制御部１２０６に送る。
【００５７】
制御部１２０６は、信号解析部１２０７から受け取った各種情報を、デマルチプレクサ１２０３の出力データストリームに付随するメタデータとして記録媒体１２０４に記録する。
【００５８】
また、制御部１２０６は、信号解析部１２０７から受け取った各種情報に基いたファイル名を、記録媒体１２０４に記録される動画像ファイルのファイル名に設定する。ファイル名の設定方法の詳細は後述する。
【００５９】
記録媒体１２０４に記録されたデータファイルは、外部インターフェース１２０５を介して外部に転送できる。換言すると、外部の情報機器は、外部インターフェース１２０５を介して記録媒体１２０４にアクセスし、所望のデータファイルを読み込むことが出来る。外部インターフェース１２０５は、記録媒体１２０４に記録されたデータを外部装置が読み書きできるものであればよく、例えばＵＳＢ端子等のように、記録装置１１１０−ｎに周辺機器を接続できるあらゆるインターフェースを含む。
【００６０】
図１３に示すフローチャートを参照して、記録媒体１２０４に記録される動画像ファイルのファイル名を設定する制御部１２０６の動作を説明する。
【００６１】
Ｓ１３０１では、制御部１２０６は、信号解析部１２０７におけるアンシラリパケットデータの解析により得られた各種情報を信号解析部１２０７から受信する。
【００６２】
Ｓ１３０２では、制御部１２０６は、ファイル名関連情報が存在するか否かを判定する。ここでファイル名関連情報は、信号解析部１２０７のアンシラリパケットデータの解析により得られた各種情報のうち、ユーザ定義名、リール番号、シーン番号、テイク番号及びショット番号を指す。ファイル名関連情報はいわば、撮像装置１００におけるオリジナルの動画像とその画素数及びフレームレート等の特性とを特定する動画像特定情報である。ファイル名関連情報が存在する場合、制御部１２０６は、Ｓ１３０３に進み、ファイル名関連情報のいずれも存在しない場合、制御部１２０６は、Ｓ１３０４に進む。
【００６３】
Ｓ１３０３では、制御部１２０６は、記録すべきファイルのファイル名（拡張子を除くボディ部）を、上述したファイル関連情報を含む文字列に設定し、Ｓ１３０５に進む。例えば、全てのファイル名関連情報が存在している場合、制御部１２０６は、「ＵＳＥＲ０＿Ｒ００１＿Ｓ００２＿Ｔ００３＿００４」という文字列を生成し、これをファイル名とする。ここで、「ＵＳＥＲ０」がユーザ定義名、「Ｒ００１」がリール番号、「Ｓ００２」がシーン番号、「Ｔ００３」がテイク番号、「００４」がショット番号をそれぞれ示す。Ｓ１３０１におけるアンシラリパケット解析の結果、ファイル名関連情報の中で多重されていないものがあった場合、制御部１２０６は、不在の情報に基づく名称部分を詰めてファイル名を作成する。例えば、テイク番号が存在していなかった場合、前記の例では、「ＵＳＥＲ０＿Ｒ００１＿Ｓ００２＿００４」というファイル名になる。
【００６４】
Ｓ１３０４では、制御部１２０６は、記録装置１１１０−ｎに予め設定されたファイル名を採用し、Ｓ１３０５に進む。設定されるファイル名は、例えば、撮像装置１００で設定するものと同様に、ユーザが設定するユーザ定義名、リール番号、シーン番号、テイク番号、及び、記録開始のたびにインクリメントされるショット番号などから構成される。
【００６５】
Ｓ１３０５では、制御部１２０６は、信号解析部１２０７のアンシラリパケットデータの解析により得られた各種情報に撮像年月日情報が含まれているか判定する。撮像年月日情報が含まれている場合（Ｓ１３０５）、制御部１２０６は、Ｓ１３０６に進み、含まれていない場合（Ｓ１３０５）、制御部１２０６は、Ｓ１３０７に進む。Ｓ１３０６では、制御部１２０６は、ファイル名に撮像年月日情報を追加し、Ｓ１３０８に進む。Ｓ１３０７では、記録装置１１１０−ｎが保持する年月日情報を記録年月日情報としてファイル名に追加し、Ｓ１３０８に進む。ファイル名は例えば、「ＵＳＥＲ０＿Ｒ００１＿Ｓ００２＿Ｔ００３＿００４＿１５０９１７」というファイル名になる。追加された「１５」が西暦年の下２桁、「０９」が月、「１７」が日付をそれぞれ示す。
【００６６】
Ｓ１３０８では、制御部１２０６は、信号解析部１２０７のアンシラリパケットデータの解析により得られた各種情報にタイムコードが含まれているか判定する。タイムコードが含まれている場合（Ｓ１３０８）、制御部１２０６は、Ｓ１３０９に進み、含まれていない場合（Ｓ１３０８）、制御部１２０６は、Ｓ１３１０に進む。Ｓ１３０９では、制御部１２０６は、ファイル名にタイムコードを追加し、Ｓ１３１１に進む。Ｓ１３１０では、制御部１２０６は、記録装置１１１０−ｎが保持するタイムコードをファイル名に追加し、Ｓ１３１１に進む。ファイル名は例えば、「ＵＳＥＲ０＿Ｒ００１＿Ｓ００２＿Ｔ００３＿００４＿１５０９１７＿１９１５４５１２」というファイル名になる。「１９」が時刻の時を示し、「１５」が分、「４５」が秒をそれぞれ示し、「１２」がフレーム番号を示す。
【００６７】
Ｓ１３１１では、制御部１２０６は、信号解析部１２０７のアンシラリパケットデータの解析により得られた各種情報に、フレーム分割情報が含まれているかどうかを判定する。フレーム分割情報が含まれている場合（Ｓ１３１１）、制御部１２０６は、Ｓ１３１２に進み、含まれていない場合（あ１３１１）、制御部１２０６は、Ｓ１３１３に進む。Ｓ１３１２では、制御部１２０６は、ファイル名にフレーム分割情報を追加し、Ｓ１３１３に進む。
【００６８】
Ｓ１３１３では、制御部１２０６は、信号解析部１２０７のアンシラリパケットデータの解析により得られた各種情報に画面分割情報が含まれているかどうかを判定する。画面分割情報が含まれている場合（Ｓ１３１３）、制御部１２０６は、Ｓ１３１４に進み、含まれていない場合（Ｓ１３１３）、制御部１２０６は、Ｓ１３１５に進む。Ｓ１３１４では、制御部１２０６は、ファイル名に位置座標情報を追加し、Ｓ１３１５に進む。ファイル名は例えば、「ＵＳＥＲ０＿Ｒ００１＿Ｓ００２＿Ｔ００３＿００４＿１５０９１７＿１９１５４５１２＿Ｆ１Ｘ０Ｙ０」というファイル名になる。「Ｆ１」がフレーム番号を示し、「Ｘ０Ｙ０」が位置座標（０、０）を示す。
【００６９】
Ｓ１３１５では、制御部１２０６は、Ｓ１３１５までのフローで生成されたファイル名と同じファイル名のファイルが記録媒体１２０４にすでに存在しているか否かを判定する。同じファイル名のファイルがすでに存在している場合（Ｓ１３１５）、制御部１２０６は、Ｓ１３１６に進み、存在していない場合（Ｓ１３１５）、制御部１２０６は、ファイル名の設定を終了する。Ｓ１３１６では、制御部１２０６は、１ずつインクリメントする値をファイル名に追加する。例えば、タイムコードが同一のまま変化せず、「ＵＳＥＲ０＿Ｒ００１＿Ｓ００２＿Ｔ００３＿００４＿１５０９１７＿１９１５４５１２＿Ｆ１Ｘ０Ｙ０」というファイルがすでに存在している場合、このファイル名に「＿００００１」という文字列を追加する。そして、この追加結果を、記録しようとするファイルのファイル名とする。「＿００００１」を追加したファイル名のファイルが既に存在する場合、制御部１２０６は、「ＵＳＥＲ０＿Ｒ００１＿Ｓ００２＿Ｔ００３＿００４＿１５０９１７＿１９１５４５１２＿Ｆ１Ｘ０Ｙ０＿００００２」というファイル名を採用する。
【００７０】
撮像装置１００から供給される動画像データにファイル名を設定する元となる情報がなく、記録装置１１１０−ｎにも、ファイル名を生成する元となるユーザ設定の情報が無い場合、記録装置１１１０−ｎは、一般的な規則に従いファイル名を生成する。また、予め記録装置で設定した名称の末尾に、分割情報を追加してファイル名を設定する構成にしてもよい。
【００７１】
各記録装置１１１０−１〜１１１０−８が、図１３を参照して説明した手順で記録すべきファイルのファイル名を決定する。これにより、撮像装置１００で撮像された８Ｋ・１２０Ｐの動画像データが記録装置１１１０−１〜１１１０−８にそれぞれ６０Ｐ・４Ｋ動画像データとして分割して記録されるものの、そのファイル名の一部が共通化され、復元のための情報も含まれる。ファイル名の一部が共通化されることで、同じ動画像の分割記録であることが明確になる。また、オリジナルの動画像の空間上の分割位置と時間軸上の分割位置を示す情報をファイル名が含むことで、オリジナルの動画像を復元するための空間上の合成と時間軸上の合成も自動化可能になる。例えば、記録装置１１１０−１〜１１１０−８から各ファイルを読み出した場合に、元の８Ｋ・１２０Ｐの動画像データに戻すことも容易になる。例えば、「ＵＳＥＲ０＿Ｒ００１＿Ｓ００２＿Ｔ００３＿００４＿１５０９１７＿１９１５４５１２＿Ｆ１」という共通の名称を含み、末尾がそれぞれ「Ｘ０Ｙ０」、「Ｘ０Ｙ１」、「Ｘ１Ｙ０」及び「Ｘ１Ｙ１」となっているファイル名の動画像を合成する。この合成により、８Ｋ動画像を復元できる。
【００７２】
図１２に示す構成では、記録再生部１２１１は、デマルチプレクサ１２０３で生成された画像データを記録媒体１２０４に記録したが、デマルチプレクサ１２０３の出力を現像処理部で現像したデータを記録媒体１２０４に記録するとしてもよい。
【００７３】
記録装置１１１０−１〜１１１０−８に分割記録された動画像ファイル（分割動画像ファイル）のファイル名を変換する動作を説明する。図１４は、ファイル名変換装置として動作するパーソナルコンピュータ（ＰＣ）の概略構成の一例を説明するためのブロック図である、図１５は、ファイル名変換処理の一例を示すフローチャートである。
【００７４】
図１４に示すＰＣ１４００では、ＣＰＵ（Ｃｅｎｔｒａｌ  Ｐｒｏｃｅｓｓｉｎｇ  Ｕｎｉｔ）１４０１が、各構成要素間の制御信号やデータ信号のための伝送路である内部バス１４０２と接続し、各構成要素とデータの通信を行い、計算と制御を行う。メモリ１４０３は、ＣＰＵ１４０１が制御プログラムを実行する際の作業領域となる。ＣＰＵ１４０１は、図１５に示すフローチャートで示されるファイル名変換プログラムを読み込み実行することで、以下の機能を実現する。
【００７５】
入力装置１４０４は、ユーザが操作を行うための装置であり、マウス及びキーボードで構成される。出力装置１４０５は、ユーザにデータや処理の結果を通知するための装置であり、ディスプレイ等で構成される。
【００７６】
記憶装置１４０６は、ＰＣ１４００のＯＳ（オペレーティングシステム）、アプリケーションソフトウエア及び動画像ファイル等が格納される装置であって、ＨＤＤ（ハードディスクドライブ）またはＳＳＤ（ソリッドステートドライブ）等から構成される。
【００７７】
外部インターフェース１４０７は、他の機器と通信してデータの読み書き行うためのインターフェースであり、ＵＳＢ端子等の、情報機器に周辺機器を接続するためのあらゆるインターフェースを含む。
【００７８】
ＣＰＵ１４０１は、図１５に示すファイル名変換処理を実現するプログラムをメモリ１４０３にロードして実行する。
【００７９】
Ｓ１５０１では、ＣＰＵ１４０１は、ファイル名を変更する対象とするファイル群を読み込み、Ｓ１５０２に進む。Ｓ１５０１で読み込むファイルは、記録装置１１１０−１〜１１１０−８に記録される分割動画像ファイルである。これら分割動画像ファイルは、撮像時の各種情報をメタデータとして含んでいる。
【００８０】
Ｓ１５０２では、ＣＰＵ１４０１は、読み込んだ動画像ファイルのメタデータを解析し、解析結果を後の処理で用いるためにメモリ１４０３に記憶し、Ｓ１５０３に進む。
【００８１】
Ｓ１５０３では、ＣＰＵ１４０１は、メタデータ解析結果の分割情報により分割動画像ファイルか否かを判定する。メタデータ解析結果の空間的分割数及び時間的分割数が共に０であるか、または分割数に関する情報がない場合、ＣＰＵ１４０１は、分割動画像ファイルではないと判定し、ファイル名の変更をせずに図１５に示すフローを終了する。分割動画像ファイルである場合、ＣＰＵ１４０１は、Ｓ１５０４に進む。
【００８２】
Ｓ１５０４では、ＣＰＵ１４０１は、合成対象の分割動画像ファイルが揃っているか否かを判定する。例えば、メタ情報の内、分割によっても変更されない所定の要素について同じ内容を有する分割数に相当する動画像ファイルを取得できている場合、復元に必要な動画像ファイルが揃っていることになる。そのような、分割によっても変更されない情報には、タイムコード、ペイロードＩＤ、撮像年月日、ユーザ定義名、リール番号、シーン番号、テイク番号及びショット番号などがある。分割された全ての分割動画像ファイルが揃っている場合、ＣＰＵ１４０１は、Ｓ１５０５に進み、揃っていない場合、ＣＰＵ１４０１は、Ｓ１５０６に進む。
【００８３】
Ｓ１５０６では、ＣＰＵ１４０１は、もとのファイル名に分割情報を追加して、図１５に示すフローを終了する。例えば、「元のファイル名＿Ｆ３Ｘ１Ｙ０」という名称のファイル名に対象ファイルを変更する。
【００８４】
Ｓ１５０５では、ＣＰＵ１４０１は、取得した動画像ファイルの中に、分割情報が同じでかつタイムコードが同じファイルがあるか否かを判定する。撮像装置または記録装置の設定または状態により、記録開始の数フレーム間か記録停止までにタイムコードが歩進しない状態が発生する場合があるからである。タイムコードが同じファイルがある場合、ＣＰＵ１４０１はＳ１５０７に進み、ない場合、ＣＰＵ１４０１はＳ１５０８に進む。
【００８５】
Ｓ１５０７では、ＣＰＵ１４０１は、分割情報とタイムコードの両方が同じファイルについて、そのうちの一つを除き、ファイル名を、元のファイル名に分割情報を追加した名称に変更する。例えば、「元のファイル名＿Ｆ３Ｘ１Ｙ０」という名称のファイル名に対象ファイルのファイル名を変更する。
【００８６】
Ｓ１５０８では、ＣＰＵ１４０１は、分割情報とタイムコードのいずれか一方または両方が異なるファイルのファイル名を「共通のファイル名＿分割情報」に変更する。ここで、共通のファイル名は、例えばユーザ定義名、リール番号、シーン番号、テイク番号、ショット番号、撮像年月日及びタイムコードにより構成されるが、別途、ユーザが設定した名称としてもよい。これにより、ファイル名は例えば、「ＵＳＥＲ０＿Ｒ００１＿Ｓ００２＿Ｔ００３＿００４＿１５０９１７＿１９１５４５１２＿Ｆ１」という共通名称を含み、末尾がそれぞれ「Ｘ０Ｙ０」、「Ｘ０Ｙ１」、「Ｘ１Ｙ０」または「Ｘ１Ｙ１」となる。共通名称を含むこれのファイルの動画像を合成することで、８Ｋ動画像を復元できる。
【００８７】
例えば、１２０Ｐの８Ｋ動画像を分割記録した分割動画像ファイルのファイル名を上述の手順で変更したとする。この場合、タイムコードの末尾が００、０１、…、２８、２９となっていて、各タイムコードに対し「＿Ｆ１」「＿Ｆ２」「＿Ｆ３」「＿Ｆ４」という名称を含むファイルが生成される。これらのファイルが、１秒間あたりに撮像された１２０フレーム分の動画像となる。
【００８８】
以上のようなファイル名変更により、複数の記録装置に分割して記録された動画像ファイルのファイル名を、相互の関連性が分かりやすい名称に変更できるので、動画像ファイルの編集・管理が容易になる。
【００８９】
図１５に示すファイル名変換処理は、分割動画像ファイルを収容するディレクトリまたはフォルダの名称にも適用可能である。
【００９０】
記録装置１１１０−１〜１１１０−８に記録された動画像ファイルのファイル名をＰＣ１４００により変換する実施例を説明したが、図１５を参照して説明したファイル名変換機能を記録装置１１１０−１〜１１１０−８に組み込んでもよい。例えば、記録装置１１１０−１〜１１１０−８は、入力する動画像を暫定ファイル名で記録し、記録完了後にこの暫定ファイル名を図１５に示すファイル名変換処理により決定されるファイル名に変更する。
【００９１】
１フレームの画素構成を８Ｋ４Ｋ、フレームレートを１２０Ｐとした動画像を１６分割する例を説明したが、１画面の画素数、フレームレート及び分割数は、この例に限定されない。また、空間内の分割数及び時間軸上の分割数も上記実施例で説明した例に限定されない。
【図１】
0006548500.tif 000002
【図２】
0006548500.tif 000003
【図３】
0006548500.tif 000004
【図４】
0006548500.tif 000005
【図５】
0006548500.tif 000006
【図６】
0006548500.tif 000007
【図７】
0006548500.tif 000008
【図８】
0006548500.tif 000009
【図９】
0006548500.tif 000010
【図１０】
0006548500.tif 000011
【図１１】
0006548500.tif 000012
【図１２】
0006548500.tif 000013
【図１３】
0006548500.tif 000014
【図１４】
0006548500.tif 000015
【図１５】
0006548500.tif 000016